【事件の表示】
　特願２００２−１７１９１９「データ送信装置、データ受信装置」拒絶査定不服審判事件〔平成１６年　１月２２日出願公開、特開２００４−　２３１８７〕について、次のとおり審決する。
【結　論】
　本件審判の請求は、成り立たない。
【理　由】
第１　経緯
　１　手続
　　本願は、平成１４年６月１２日の出願であって、平成１８年１２月２８日付けで拒絶理由が通知され、これに対し、平成１９年３月９日付けで意見書が提出されると同時に手続補正がなされたが、平成１９年４月２５日付け（発送日同年５月１日）で拒絶査定がなされたものである。
　　本件は、本願についてなされた上記拒絶査定を不服として平成１９年５月３１日付けで請求された拒絶査定不服審判であって、平成１９年７月２日付けで手続補正がなされたものである。
　　
　２　査定
  　原査定の理由は、概略、以下のとおりである。
　　
Ａ．この出願は、特許請求の範囲の請求項１及び請求項２の記載が、特許法第３６条第６項第２号に規定する要件を満たしていない。
　　
Ｂ．この出願の請求項１〜３５に係る発明は、その出願の日前の特許出願であって、その出願後に特許掲載公報の発行又は出願公開がされた下記の特許出願の願書に最初に添付された明細書、特許請求の範囲又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない。
　　
　　　　　　　　記
　　１．特願２００２−５７６４２９号（特許第３７１８８３６号公報）
　　
第２　本願発明
　本願の請求項１から３３に係る発明は、平成１９年７月２日付け手続補正により補正された明細書及び図面の記載からみて、その特許請求の範囲の請求項１から３３に記載した事項により特定されるとおりのものであるところ、請求項１に係る発明（以下「本願発明」という。）は次のとおりである。
　　
「デジタルディスプレイ接続用のインターフェースを用いたディジタル信号伝送システムにおいて用いられるデータ送信装置であって、
　映像・音声信号源からディジタルオーディオデータを取り込むデータ取り込み手段と、
　前記データ取り込み手段が取り込んだディジタルオーディオデータを加工して伝送用のオーディオデータを生成するオーディオデータ加工手段と、
　映像データの映像ブランキング期間に前記伝送用のオーディオデータを重畳する映像・オーディオデータ重畳手段と、
　前記伝送用のオーディオデータを重畳した映像データ、映像ブランク同期信号、及び映像データ用のピクセルクロックを、データ受信装置に対して送信するデータ送信手段と、
を備え、
　前記伝送用のオーディオデータは、データ受信装置においてディジタルオーディオデータの再生に用いるオーディオクロックを、前記映像データ用のピクセルクロックを分周して生成するときに使われるパラメータＮ、及び逓倍して生成するときに使われるパラメータＣＴＳ（Ｎ、ＣＴＳは共に正の整数）を含むものであり、
　前記パラメータＮは、前記ピクセルクロックと前記オーディオクロックの組合せを基に決定する所定の値であり、
　前記パラメータＣＴＳが、
　ＣＴＳ＝ピクセルクロック×Ｎ／オーディオクロック
の関係を満たすとともに、
　３００（Ｈｚ） ≦　オーディオクロック（Ｈｚ）／Ｎ　≦　３０００（Ｈｚ）
の関係を満たす、
　ことを特徴とするデータ送信装置。」
　　
第３　先願発明
　１　先願明細書の記載
　　原査定の拒絶の理由に引用された、本願の日前の他の特許出願であって、その出願後に特許掲載公報の発行された特願２００２−５７６４２９号（特許第３７１８８３６号公報）の願書に最初に添付された明細書及び図面（以下「先願明細書」という。）には、次に揚げる事項が記載されている。なお、摘示箇所は国際公開２００２／０７８３３６号による。
　　
（ア）「本実施の形態によるディジタル信号送受信システムは、ビデオテープ記録再生装置、ビデオディスク再生装置、チューナーなどの映像・音声信号源から出力される映像データ，およびオーディオデータを、表示装置として音声出力機能を有するモニタ受像機、テレビジョン受像機などの表示装置に対し、１つの伝送ケーブルを使用して伝送するようにしたものである。この伝送ケーブルとしては、ＤＶＩ（Ｄｉｇｉｔａｌ　Ｖｉｓｕａｌ　Ｉｎｔｅｒｆａｃｅ）と称される規格でデータが伝送されるケーブルを使用する。」（７頁２〜８行）
　　
（イ）「第１図は本実施の形態によるディジタル信号伝送システムの全体構成を示す図である。図において、１０１はビデオテープ記録再生装置、ビデオディスク再生装置、チューナーなどの映像・音声信号源、１０２は映像・音声信号源から出力される映像データとオーディオデータを重畳してＤＶＩ用ケーブルに送出するデータ送信装置、１０３はＤＶＩ用ケーブル、１０４はＤＶＩ用ケーブル１０３により伝送された映像・オーディオデータ重畳信号を受信し、映像データとアナログオーディオ信号を出力するデータ受信装置、１０５はデータ受信装置から映像データとアナログオーディオ信号を受け取り映像および音声の表示を行う映像音声表示装置である。ＤＶＩ用ケーブル１０３が接続されるデータ送信装置１０２及びデータ受信装置１０４のコネクタ部は、たとえば２４本のピンコネクタで構成され、ケーブル１０３によりデータ送信装置１０２のコネクタの２４本のピンとデータ受信装置１０４のコネクタの２４本のピンが個別に接続される。」（７頁９〜２０行）
　　
（ウ）「第２図は第１図中のデータ送信装置の構成を示すブロック図である。図において、２０１は映像・音声信号源から出力されるディジタルオーディオデータを取り込むオーディオデータ取り込み手段、２０２は映像・音声信号源から出力される映像のピクセルクロックとオーディオデータのサンプリング周波数に基づいて分周パラメータを決定する分周パラメータ決定手段である。２０３はオーディオデータ取り込み手段２０１が取り込んだディジタルオーディオデータに対し分周パラメータ決定手段２０２が決定した分周パラメータ等の情報を付加するなどの処理を行い、伝送用のオーディオデータを生成するオーディオデータ加工手段、２０４はオーディオデータ加工手段により生成された伝送用のオーディオデータを一時記憶するデータ記憶手段、２０５は映像・音声信号源から出力される水平ブランク同期信号，及び映像のピクセルクロックを用いてタイミング信号を生成し、このタイミング信号を用いて、データ記憶手段２０４に記憶された伝送用のオーディオデータを、映像・音声信号源から出力される映像データの水平ブランキング期間の所定位置に重畳して映像・オーディオデータ重畳信号を生成する映像・オーディオデータ重畳手段である。また、２０６はオーディオデータの入力端子、２０７は映像データの入力端子である。」（７頁２１行〜８頁７行）
　　
（エ）「分周パラメータ決定手段２０２は、映像・音声信号源から出力される映像のピクセルクロックとオーディオデータのサンプリング周波数に基づいて分周パラメータを決定する。受信側においてディジタルオーディオデータをアナログオーディオ信号として再生する際には、オーディオクロックが必要となるが、本実施の形態によるディジタル信号伝送システムでは後述するように、受信側において、送信側から伝送されるピクセルクロックを分周することによってオーディオクロックを生成し、これをオーディオデータの再生に用いる。ピクセルクロックをもとに、オーディオクロックを生成するので、ジッタなどが発生しやすく、オーディオクロック精度が下がる可能性があるが、それを防いでオーディオクロックを精度良く生成するため本実施の形態によるディジタル信号伝送システムでは、映像のピクセルクロックとオーディオデータのサンプリング周波数に基づいて決まる分周パラメータを受信側に対して伝送し、受信側でこの分周パラメータを用いて送信側から伝送されるピクセルクロックを分周し、オーディオクロックの生成を行う。分周パラメータは、上述のように映像のピクセルクロックとオーディオデータのサンプリング周波数に基づいて一意的に決まる。ここでは、オーディオデータのサンプリング周波数を１２８倍したものをオーディオクロックとし、このオーディオクロックとピクセルクロックの最小公倍数にするためにピクセルクロックに掛ける値を分周パラメータＮとする。例えば、画像データが４８０Ｐの画質のものであればピクセルクロックは２７．０００ＭＨｚであるが、これに対しオーディオデータのサンプリング周波数が４８ｋＨｚであれば分周パラメータＮは６１４４であり、オーディオデータのサンプリング周波数が４４．１ｋＨｚであれば分周パラメータＮは６２７２である。また、画像データが１０８０Ｉの画質のものであればピクセルクロックは７４．１７６ＭＨｚであるが、これに対しオーディオデータのサンプリング周波数が４８ｋＨｚであれば分周パラメータＮは１１６４８であり、オーディオデータのサンプリング周波数が４４．１ｋＨｚであれば分周パラメータＮは１７８３６である。分周パラメータ決定手段２０２はこのような分周パラメータの値をテーブルとして保持しておき、映像・音声信号源から与えられるピクセルクロックの周波数，及びオーディオデータのプリアンブルに記述されたサンプリング周波数に基づいて該当する分周パラメータの値をテーブルから読み出してオーディオデータ加工手段２０３に対して出力する。」（８頁１９行〜９頁１６行）
　　
（オ）「オーディオデータ取り込み手段２０１によって取り込まれたディジタルオーディオデータは、オーディオデータ加工手段２０３に出力される。オーディオデータ加工手段２０３は、オーディオデータ取り込み手段２０１から受け取ったディジタルオーディオデータに対し、分周パラメータ決定手段２０２で決定された分周パラメータや加工後のデータ長等の情報を含むヘッダを付加し、また、データの多ビット化等、データ伝送に適した形態への変換処理を行って、伝送用オーディオデータを生成する。オーディオデータ加工手段２０３で生成された伝送用オーディオデータは、データ記憶手段２０４に一時記憶され、映像・オーディオデータ重畳手段から出力されるオーディオデータ重畳タイミングにあわせた読み込み信号に従い、映像・オーディオデータ重畳手段２０５に入力される。」（９頁２０〜２９行）
　　
（カ）「映像データ入力端子２０７には、ＤＶＩ規格で符号化された映像データが映像・音声信号源の映像処理部（図示せず）から供給される。映像データ入力端子２０７に供給される映像データは、映像・オーディオデータ重畳手段２０５に入力される。映像・オーディオデータ重畳手段２０５はオーディオデータを映像データに多重化する合成処理を行い、合成されたデータをＤＶＩケーブルに送出する。」（１０頁１〜６行）
　　
（キ）「映像・オーディオデータ重畳手段２０５は、映像・音声信号源から与えられる水平ブランク同期信号とピクセルクロックを用いてオーディオデータの重畳タイミング信号を生成する。すなわち、水平ブランク同期信号を受けた時からピクセルクロックを予め定められた個数であるｎ個をカウントしたタイミングで読み込み信号をデータ記憶手段２０４に対して出力する。データ記憶手段２０４に一時記憶された伝送用オーディオデータは、映像・オーディオデータ重畳手段から出力される読み込み信号に応じてデータ記憶手段２０４から映像・オーディオデータ重畳手段２０５に入力され、映像データの水平ブランキング期間の所定の位置に重畳される。」（１０頁２４行〜１１頁３行）
　　
（ク）「本実施の形態のデータ送信装置は、上述のようにオーディオデータを映像データの水平ブランキング期間の所定位置に重畳した映像・オーディオデータ重畳信号を、水平ブランク同期信号やピクセルクロックとともにＤＶＩ用ケーブルを介してデータ受信装置に対して伝送する。」（１１頁１１〜１４行）
　　
（ケ）「また、上述した実施の形態では、オーディオデータのサンプリング周波数を１２８倍したものをオーディオクロックとし、このオーディオクロックとピクセルクロックの最小公倍数にするためにピクセルクロックに掛ける値を分周パラメータＮとしてこれをオーディオデータに付加して伝送するものについて説明したが、この分周パラメータＮとともに、さらに、
　Ｍ＝ピクセルクロック×Ｎ／オーディオクロック
の関係を満たすＭの値も同時に情報としてオーディオデータに付加して伝送するようにしてもよい。これにより受信側のオーディオクロックの位相を送信側のオーディオクロックの位相に合わせることが可能となる。」（１５頁１１〜１９行）
　　
　２　先願発明
　先願明細書に記載されたディジタル信号伝送システムにおけるデータ伝送装置１０２は、映像・音声信号源１０１から出力される映像データ，およびオーディオデータを、表示装置として音声出力機能を有する映像音声表示装置１０５にＤＶＩ（Ｄｉｇｉｔａｌ　Ｖｉｓｕａｌ　Ｉｎｔｅｒｆａｃｅ）と称される規格でデータが伝送されるケーブルを使用して伝送するものである（上記（ア）、（イ）及び第１図）。
　データ伝送装置１０２は、
　映像・音声信号源から出力されるディジタルオーディオデータを取り込むオーディオデータ取り込み手段２０１、
　映像・音声信号源から出力される映像のピクセルクロックとオーディオデータのサンプリング周波数に基づいて分周パラメータを決定する分周パラメータ決定手段２０２、
　オーディオデータ取り込み手段２０１が取り込んだディジタルオーディオデータに対し分周パラメータ決定手段２０２が決定した分周パラメータ等の情報を付加するなどの処理を行い、伝送用のオーディオデータを生成するオーディオデータ加工手段２０３、
　オーディオデータ加工手段により生成された伝送用のオーディオデータを一時記憶するデータ記憶手段２０４、
　映像・音声信号源から出力される水平ブランク同期信号，及び映像のピクセルクロックを用いてタイミング信号を生成し、このタイミング信号を用いて、データ記憶手段２０４に記憶された伝送用のオーディオデータを、映像・音声信号源から出力される映像データの水平ブランキング期間の所定位置に重畳して映像・オーディオデータ重畳信号を生成する映像・オーディオデータ重畳手段２０５からなる（上記（ウ）及び第２図）。
  データ伝送装置１０２は、オーディオデータを映像データの水平ブランキング期間の所定位置に重畳した映像・オーディオデータ重畳信号を、水平ブランク同期信号やピクセルクロックとともにＤＶＩ用ケーブルを介してデータ受信装置に対して伝送する（上記（ク））。
　　
　分周パラメータは、映像のピクセルクロックとオーディオデータのサンプリング周波数に基づいて決まり、その分周パラメータを受信側に対して伝送し、受信側でこの分周パラメータを用いて送信側から伝送されるピクセルクロックを分周し、オーディオクロックの生成を行うものである。オーディオクロックは、オーディオデータのサンプリング周波数を１２８倍したものであり、このオーディオクロックとピクセルクロックの最小公倍数にするためにピクセルクロックに掛ける値を分周パラメータＮとする。分周パラメータ決定手段２０２はこのような分周パラメータの値をテーブルとして保持しておき、映像・音声信号源から与えられるピクセルクロックの周波数，及びオーディオデータのプリアンブルに記述されたサンプリング周波数に基づいて該当する分周パラメータの値をテーブルから読み出してオーディオデータ加工手段２０３に対して出力する（上記（エ））。
　分周パラメータＮとともに、さらに、
　　Ｍ＝ピクセルクロック×Ｎ／オーディオクロック
の関係を満たすＭの値も同時に情報としてオーディオデータに付加して伝送し、これにより受信側のオーディオクロックの位相を送信側のオーディオクロックの位相に合わせることが可能となる（上記（ケ））。
　　
　具体的な数値として、次の４つが示されている（上記（エ））。
（ａ）ピクセルクロック：２７．０００ＭＨｚ（画像データが４８０Ｐの画質のもの）
　　　オーディオデータのサンプリング周波数：４８ｋＨｚ
　　　分周パラメータＮ：６１４４
（ｂ）ピクセルクロック：２７．０００ＭＨｚ（画像データが４８０Ｐの画質のもの）
　　　オーディオデータのサンプリング周波数：４４．１ｋＨｚ
　　　分周パラメータＮ：６２７２
（ｃ）ピクセルクロック：７４．１７６ＭＨｚ（画像データが１０８０Ｉの画質のもの）
　　　オーディオデータのサンプリング周波数：４８ｋＨｚ
　　　分周パラメータＮ：１１６４８
（ｄ）ピクセルクロック：７４．１７６ＭＨｚ（画像データが１０８０Ｉの画質のもの）
　　　オーディオデータのサンプリング周波数：４４．１ｋＨｚ
　　　分周パラメータＮ：１７８３６
　　
　以上より、先願明細書には次の発明（以下「先願発明」という。）が記載されている。
　　
「ＤＶＩ（Ｄｉｇｉｔａｌ　Ｖｉｓｕａｌ　Ｉｎｔｅｒｆａｃｅ）と称される規格でデータが伝送されるディジタル信号伝送システムにおけるデータ伝送装置１０２であって、
　映像・音声信号源から出力されるディジタルオーディオデータを取り込むオーディオデータ取り込み手段２０１、　
　オーディオデータ取り込み手段２０１が取り込んだディジタルオーディオデータに対し分周パラメータ決定手段２０２が決定した分周パラメータ等の情報を付加するなどの処理を行い、伝送用のオーディオデータを生成するオーディオデータ加工手段２０３、
　映像・音声信号源から出力される水平ブランク同期信号，及び映像のピクセルクロックを用いてタイミング信号を生成し、このタイミング信号を用いて、データ記憶手段２０４に記憶された伝送用のオーディオデータを、映像・音声信号源から出力される映像データの水平ブランキング期間の所定位置に重畳して映像・オーディオデータ重畳信号を生成する映像・オーディオデータ重畳手段２０５からなり、
  データ伝送装置１０２は、オーディオデータを映像データの水平ブランキング期間の所定位置に重畳した映像・オーディオデータ重畳信号を、水平ブランク同期信号やピクセルクロックとともにＤＶＩ用ケーブルを介してデータ受信装置に対して伝送するものであり、
　分周パラメータは、映像のピクセルクロックとオーディオデータのサンプリング周波数に基づいて決まり、その分周パラメータを受信側に対して伝送し、受信側でこの分周パラメータを用いて送信側から伝送されるピクセルクロックを分周し、オーディオクロックの生成を行うものであり、
　オーディオクロックは、オーディオデータのサンプリング周波数を１２８倍したものであり、このオーディオクロックとピクセルクロックの最小公倍数にするためにピクセルクロックに掛ける値を分周パラメータＮとし、
　分周パラメータＮとともに、さらに、
　　Ｍ＝ピクセルクロック×Ｎ／オーディオクロック
の関係を満たすＭの値も同時に情報としてオーディオデータに付加して伝送し、これにより受信側のオーディオクロックの位相を送信側のオーディオクロックの位相に合わせることが可能となるようにし、
　ピクセルクロック、オーディオデータのサンプリング周波数、分周パラメータＮの値が次の（ａ）〜（ｄ）のうちの一つとする
　ことを特徴とするデータ伝送装置。　
（ａ）ピクセルクロック：２７．０００ＭＨｚ（画像データが４８０Ｐの画質のもの）
　　　オーディオデータのサンプリング周波数：４８ｋＨｚ
　　　分周パラメータＮ：６１４４
（ｂ）ピクセルクロック：２７．０００ＭＨｚ（画像データが４８０Ｐの画質のもの）
　　　オーディオデータのサンプリング周波数：４４．１ｋＨｚ
　　　分周パラメータＮ：６２７２
（ｃ）ピクセルクロック：７４．１７６ＭＨｚ（画像データが１０８０Ｉの画質のもの）
　　　オーディオデータのサンプリング周波数：４８ｋＨｚ
　　　分周パラメータＮ：１１６４８
（ｄ）ピクセルクロック：７４．１７６ＭＨｚ（画像データが１０８０Ｉの画質のもの）
　　　オーディオデータのサンプリング周波数：４４．１ｋＨｚ
　　　分周パラメータＮ：１７８３６」
　
第４　対比・判断
　１　対比・判断
（１）「デジタルディスプレイ接続用のインターフェースを用いたディジタル信号伝送システムにおいて用いられるデータ送信装置」
　先願発明の「ＤＶＩ（Ｄｉｇｉｔａｌ　Ｖｉｓｕａｌ　Ｉｎｔｅｒｆａｃｅ）」は、「デジタルディスプレイ接続用のインターフェース」といえるので、先願発明の「ＤＶＩ（Ｄｉｇｉｔａｌ　Ｖｉｓｕａｌ　Ｉｎｔｅｒｆａｃｅ）と称される規格でデータが伝送されるディジタル信号伝送システムにおけるデータ伝送装置１０２」は、本願発明の「デジタルディスプレイ接続用のインターフェースを用いたディジタル信号伝送システムにおいて用いられるデータ送信装置」と一致する。
　　
（２）「映像・音声信号源からディジタルオーディオデータを取り込むデータ取り込み手段」
　先願発明の「映像・音声信号源から出力されるディジタルオーディオデータを取り込むオーディオデータ取り込み手段２０１」は、本願発明の「映像・音声信号源からディジタルオーディオデータを取り込むデータ取り込み手段」と一致する。
　　
（３）「前記データ取り込み手段が取り込んだディジタルオーディオデータを加工して伝送用のオーディオデータを生成するオーディオデータ加工手段」
　先願発明の「オーディオデータ加工手段２０３」は、「オーディオデータ取り込み手段２０１が取り込んだディジタルオーディオデータに対し分周パラメータ決定手段２０２が決定した分周パラメータ等の情報を付加するなどの処理を行い、伝送用のオーディオデータを生成する」もので、ディジタルオーディオデータを加工しているといえるので、本願発明の「前記データ取り込み手段が取り込んだディジタルオーディオデータを加工して伝送用のオーディオデータを生成するオーディオデータ加工手段」と一致する。
　　
（４）「映像データの映像ブランキング期間に前記伝送用のオーディオデータを重畳する映像・オーディオデータ重畳手段」
　先願発明の「映像・オーディオデータ重畳手段２０５」は、「映像・音声信号源から出力される水平ブランク同期信号，及び映像のピクセルクロックを用いてタイミング信号を生成し、このタイミング信号を用いて、データ記憶手段２０４に記憶された伝送用のオーディオデータを、映像・音声信号源から出力される映像データの水平ブランキング期間の所定位置に重畳して映像・オーディオデータ重畳信号を生成する」から、本願発明の「映像データの映像ブランキング期間に前記伝送用のオーディオデータを重畳する映像・オーディオデータ重畳手段」と一致する。
　　
（５）「前記伝送用のオーディオデータを重畳した映像データ、映像ブランク同期信号、及び映像データ用のピクセルクロックを、データ受信装置に対して送信するデータ送信手段」
　先願発明の「データ伝送装置１０２」は、「オーディオデータを映像データの水平ブランキング期間の所定位置に重畳した映像・オーディオデータ重畳信号を、水平ブランク同期信号やピクセルクロックとともにＤＶＩ用ケーブルを介してデータ受信装置に対して伝送するもの」であるから、「オーディオデータを映像データの水平ブランキング期間の所定位置に重畳した映像・オーディオデータ重畳信号」、「水平ブランク同期信号」、「ピクセルクロック」をデータ受信装置に対して伝送する手段を有していることは明らかで、この手段は、本願発明の「前記伝送用のオーディオデータを重畳した映像データ、映像ブランク同期信号、及び映像データ用のピクセルクロックを、データ受信装置に対して送信するデータ送信手段」に一致する。
　　
（６）「パラメータＮ」「パラメータＣＴＳ」
（６−１）「パラメータＮ」
　先願発明の「分周パラメータＮ」は、
「映像のピクセルクロックとオーディオデータのサンプリング周波数に基づいて決まり、その分周パラメータを受信側に対して伝送し、受信側でこの分周パラメータを用いて送信側から伝送されるピクセルクロックを分周し、オーディオクロックの生成を行うものであり、
　オーディオクロックは、オーディオデータのサンプリング周波数を１２８倍したものであり、このオーディオクロックとピクセルクロックの最小公倍数にするためにピクセルクロックに掛ける値」である。
　「オーディオクロック」は、「オーディオデータのサンプリング周波数を１２８倍したものであ」るから、「オーディオデータのサンプリング周波数」により一義的に決まるものである。
　そうすると、先願発明の「分周パラメータＮ」は、「映像のピクセルクロックとオーディオデータのサンプリング周波数に基づいて決ま」るものであり、「オーディオクロック」は、「オーディオデータのサンプリング周波数を１２８倍したものであ」るから、「前記ピクセルクロックと前記オーディオクロックの組合せを基に決定する所定の値」といえる。　したがって、先願発明の「分周パラメータＮ」は、本願発明の「パラメータＮ」と一致する。
　　
（６−２）「パラメータＣＴＳ」
　先願発明の「Ｍ」は、
「Ｍ＝ピクセルクロック×Ｎ／オーディオクロック」
の関係を満たすものであり、先願発明の「分周パラメータＮ」は、「オーディオクロックとピクセルクロックの最小公倍数にするためにピクセルクロックに掛ける値」であるから、「分周パラメータＮ」と「Ｍ」は正の整数である。
　また、先願発明の「Ｍ」は「分周パラメータＮとともに」「（同時に）情報としてオーディオデータに付加して伝送」されるものである。
　よって、先願発明の「Ｍ」は、本願発明の「パラメータＣＴＳ」に一致する。
　先願発明の「分周パラメータＮ」と「Ｍ」は、「オーディオデータに付加して伝送」され、「受信側でこの分周パラメータを用いて送信側から伝送されるピクセルクロックを分周し、オーディオクロックの生成を行うものであり」、「これにより受信側のオーディオクロックの位相を送信側のオーディオクロックの位相に合わせることが可能となるようにし」ているから、本願発明の「前記伝送用のオーディオデータは、データ受信装置においてディジタルオーディオデータの再生に用いるオーディオクロックを、前記映像データ用のピクセルクロックを分周して生成するときに使われるパラメータＮ、及び逓倍して生成するときに使われるパラメータＣＴＳ（Ｎ、ＣＴＳは共に正の整数）を含むものであ」ると一致する。
　　
（６−３）
　以上より、先願発明の
「分周パラメータは、映像のピクセルクロックとオーディオデータのサンプリング周波数に基づいて決まり、その分周パラメータを受信側に対して伝送し、受信側でこの分周パラメータを用いて送信側から伝送されるピクセルクロックを分周し、オーディオクロックの生成を行うものであり、
　オーディオクロックは、オーディオデータのサンプリング周波数を１２８倍したものであり、このオーディオクロックとピクセルクロックの最小公倍数にするためにピクセルクロックに掛ける値を分周パラメータＮとし、
　分周パラメータＮとともに、さらに、
　　Ｍ＝ピクセルクロック×Ｎ／オーディオクロック
の関係を満たすＭの値も同時に情報としてオーディオデータに付加して伝送し、これにより受信側のオーディオクロックの位相を送信側のオーディオクロックの位相に合わせることが可能となるように」するは、
　本願発明の
「前記伝送用のオーディオデータは、データ受信装置においてディジタルオーディオデータの再生に用いるオーディオクロックを、前記映像データ用のピクセルクロックを分周して生成するときに使われるパラメータＮ、及び逓倍して生成するときに使われるパラメータＣＴＳ（Ｎ、ＣＴＳは共に正の整数）を含むものであり、
　前記パラメータＮは、前記ピクセルクロックと前記オーディオクロックの組合せを基に決定する所定の値であり、
　前記パラメータＣＴＳが、
　ＣＴＳ＝ピクセルクロック×Ｎ／オーディオクロック
の関係を満たす」
と一致する。
　　
（７）「オーディオクロック（Ｈｚ）／Ｎ」
　先願発明は、ピクセルクロック、オーディオデータのサンプリング周波数、分周パラメータＮの値として（ａ）〜（ｄ）の４つの場合がある。
　（ａ）〜（ｄ）の場合について、
　オーディオクロック、
　オーディオクロック／Ｎ、
　Ｍ＝ピクセルクロック×Ｎ／オーディオクロック
を計算すると，次のとおりである。（ｃ）、（ｄ）におけるピクセルクロック（画像データが１０８０Ｉの画質のもの）は７４．１７６ＭＨｚであるが、正確には７４．２５／１．００１ＭＨｚであるので、この値を用いた。
（ａ）ピクセルクロック：２７．０００ＭＨｚ（画像データが４８０Ｐの画質のもの）
　　　オーディオデータのサンプリング周波数：４８ｋＨｚ
　　　分周パラメータＮ：６１４４
　　　オーディオクロック：４８０００×１２８
　　　オーディオクロック／Ｎ：４８０００×１２８／６１４４＝１０００
　　　Ｍ：２７ＭＨｚ×６１４４／（４８０００Ｈｚ×１２８）＝２７０００
（ｂ）ピクセルクロック：２７．０００ＭＨｚ（画像データが４８０Ｐの画質のもの）
　　　オーディオデータのサンプリング周波数：４４．１ｋＨｚ
　　　分周パラメータＮ：６２７２
　　　オーディオクロック：４４１００×１２８
　　　オーディオクロック／Ｎ：４４１００×１２８／６２７２＝９００
　　　Ｍ：２７ＭＨｚ×６２７２／（４４１００Ｈｚ×１２８）＝３００００
（ｃ）ピクセルクロック：７４．１７６ＭＨｚ（画像データが１０８０Ｉの画質のもの）
　　　オーディオデータのサンプリング周波数：４８ｋＨｚ
　　　分周パラメータＮ：１１６４８
　　　オーディオクロック：４８０００×１２８
　　　オーディオクロック／Ｎ：４８０００×１２８／１１６４８＝５２７．４７２５
　　　Ｍ：７４．２５ＭＨｚ／１．００１×１１６４８／（４８０００Ｈｚ×１２８）＝１４０６２５
（ｄ）ピクセルクロック：７４．１７６ＭＨｚ（画像データが１０８０Ｉの画質のもの）
　　　オーディオデータのサンプリング周波数：４４．１ｋＨｚ
　　　分周パラメータＮ：１７８３６
　　　オーディオクロック：４４１００×１２８
　　　オーディオクロック／Ｎ：４４１００×１２８／１７８３６＝３１６．４８３５
　　　Ｍ：７４．２５ＭＨｚ／１．００１×１７８３６／（４４１００Ｈｚ×１２８）＝２３４３７５
　　
　（ａ）〜（ｄ）における「オーディオクロック／Ｎ」の値は、
　「３００（Ｈｚ） ≦　オーディオクロック（Ｈｚ）／Ｎ　≦　３０００（Ｈｚ）」
の関係を満たす。
　したがって、先願発明の（ａ）〜（ｄ）の４つの場合の「オーディオクロック／Ｎ」の値は、
　「３００（Ｈｚ） ≦　オーディオクロック（Ｈｚ）／Ｎ　≦　３０００（Ｈｚ）」
の関係を満たすから、本願発明と一致する。
　　
（８）まとめ
　以上より、本願発明は、先願発明と一致する。
　　
　２　請求人の主張について
　　請求人は、請求の理由において、「先願１には」（上記第１の２のＢ．に記載された特許出願）「分周パラメータＮのとり得る値を、３００Ｈｚ≦オーディオクロック／Ｎ≦３０００Ｈｚに限定するもの、及び該数値限定の技術的意義については一切開示されておりません。」と主張している。
　　しかしながら、上記第４の１に記載のとおり、本願発明は先願発明と同一であり、「分周パラメータＮのとり得る値を、３００Ｈｚ≦オーディオクロック／Ｎ≦３０００Ｈｚに限定するもの、及び該数値限定の技術的意義については一切開示されて」いないことは、本願発明が先願発明と同一でないことの理由にならないから、請求人の主張は採用できない。
　　
　３　発明者、出願人
　　本願発明の発明者と、先願発明の発明者とは同一でない。
　　また、本願の出願時に、本願の出願人と、本願の日前の他の特許出願であって、その出願後に特許掲載公報の発行された特願２００２−５７６４２９号（以下「他の出願」という。）の出願人とは同一でない。
　　
　４　まとめ
　　したがって、本願の請求項１に係る発明は、先願明細書に記載された発明と同一であり、しかも、本願の請求項１に係る発明の発明者が上記先願明細書に記載された発明の発明者と同一であるとも、また、本願出願時にその出願人が上記他の出願の出願人と同一であるとも認められないので、本願の請求項１に係る発明は、特許法第２９条の２第１項の規定により特許を受けることができない。
　　
第５　むすび
　以上のとおり、本願の請求項１に係る発明は、先願明細書に記載された発明と同一であり、しかも、本願の請求項１に係る発明の発明者が上記先願明細書に記載された発明の発明者と同一であるとも、また、本願出願時にその出願人が上記他の出願の出願人と同一であるとも認められないので、本願の請求項１に係る発明は、特許法第２９条の２第１項の規定により特許を受けることができない。
　したがって、残る請求項２から３２に係る発明について検討するまでもなく、本願は拒絶されるべきものである。
　
  よって、結論のように審決する。